(57)【特許請求の範囲】
【請求項１】
オイル供給系の油圧を変更可能な油圧可変手段と、
ピストンに向かってオイルを噴射するピストンジェットノズルに対して、オイルを供給または遮断するように切り換えられる切換バルブと、
オイルパンに貯留されているオイルの油面高さを計測可能なオイルレベルセンサと、を備えるエンジンに適用され、
前記オイル供給系に設けた油圧センサによる油圧の検出値に応じて、前記油圧可変手段により油圧をフィードバック制御するようにした油圧制御装置であって、
前記切換バルブを供給または遮断のいずれかの状態に切り換え制御する切換バルブ制御手段と、
前記オイルレベルセンサにより計測される油面高さと、前記切換バルブの状態に応じて設定される基準油面高さとの差に基づいて、前記切換バルブの故障を判定する故障判定手段と、を備えることを特徴とする油圧制御装置。
【請求項２】
請求項１に記載の油圧制御装置において、
前記故障判定手段は、前記切換バルブ制御手段が切換バルブを供給状態に制御しているときに、前記オイルレベルセンサにより計測される油面高さが基準油面高さよりも高く、かつ両者の差が第１の閾値以上であれば、前記切換バルブの閉故障であると判定する、油圧制御装置。
【請求項３】
請求項１または２のいずれかに記載の油圧制御装置において、
前記故障判定手段は、前記切換バルブ制御手段が切換バルブを遮断状態に制御しているときに、前記オイルレベルセンサにより計測される油面高さが基準油面高さよりも低く、かつ両者の差が第２の閾値以上であれば、前記切換バルブの開故障であると判定する、油圧制御装置。
【請求項４】
請求項２に記載の油圧制御装置において、
前記故障判定手段によって切換バルブの閉故障であると判定された場合に、警報を発するとともに、エンジンの出力を制限するフェールセーフ手段を備える、油圧制御装置。
【請求項５】
請求項４に記載の油圧制御装置において、
前記フェールセーフ手段は、前記故障判定手段によって切換バルブの開故障であると判定された場合には、警報を発する一方でエンジンの出力は制限しない、油圧制御装置。
【請求項６】
請求項１〜５のいずれか１つに記載の油圧制御装置において、
前記切換バルブ制御手段は、エンジンの温度状態および運転状態に応じて、前記切換バルブを供給または遮断のいずれかの状態に制御する、油圧制御装置。
【請求項７】
請求項１〜６のいずれか１つに記載の油圧制御装置において、
エンジンの所定の運転状態で前記基準油面高さを校正する油面高さ校正手段を備える、油圧制御装置。
【発明の詳細な説明】
【技術分野】
【０００１】
本発明は、エンジンの油圧制御装置に関し、特に、可変容量型のオイルポンプなどによって油圧を変更可能なものに適した故障の判定に係る。
【背景技術】
【０００２】
従来より一般にエンジンのオイル供給系においては、オイルパンに貯留されているオイルをオイルポンプによって汲み上げて、シリンダやクランクジャーナル、動弁系などの各潤滑部に供給するようになっている。また、ピストンを冷却するために、その下方からオイルを噴射するピストンジェットのノズルを備えたものもある。一例として特許文献１に記載のエンジンでは、前記ノズル（同文献ではオイルジェット装置のノズルと呼称）に対してオイルを供給または遮断するように切り換えられる切換バルブを備えている。
【０００３】
そして、前記従来例のエンジンでは、例えば冷間始動後に暫くの間、切換バルブによってオイルの流通を遮断し、ノズルからピストンに向かってオイルが噴射されないようにしている。これにより、エンジンの暖機を促進することができる。一方、暖機完了後は切換バルブによってオイルが供給され、ノズルからピストンに向かって噴射されるようになる。さらに、前記従来例においては、例えば電磁ソレノイドの故障や異物の噛み込みによる切換バルブの固着などを想定し、この切換バルブを供給または遮断のいずれかの状態に切り換えて、これによる油圧の検出値の変化が所定以下の場合には、切換バルブが故障していると判定するようにしている。
【先行技術文献】
【特許文献】
【０００４】
【特許文献１】特開２０１４−０９８３４４号公報
【発明の概要】
【発明が解決しようとする課題】
【０００５】
ところで、エンジンのオイルポンプは通常、チェーンやギヤなどを介してクランクシャフトにより駆動されるので、これに伴うエンジンの動力損失（ポンプ駆動損失）を低減するために、軽負荷の運転状態などにおいて油圧を低下させることが提案されている。このために可変容量型のオイルポンプを採用するとともに、メインギャラリなどに配設した油圧センサからの信号に基づいてポンプ容量を変更し、油圧をフィードバック制御することが考えられる。
【０００６】
しかしながら、そうして油圧のフィードバック制御を行うようにした場合、前記従来例のように切換バルブを動作させて、その際に検出される油圧の変化に基づいて切換バルブの故障を判定することが困難になってしまう。これは、エンジンのメインギャラリなどの油圧は、切換バルブの動作に伴い一時的に変化しても、油圧フィードバック制御によって直ちに元に戻ってしまうからである。
【０００７】
このような問題点を考慮して本発明の目的は、エンジンのオイル供給系の油圧をフィードバック制御するようにした場合でも、ピストンジェットノズルへのオイルの供給、遮断を切り換える切換バルブの故障を判定できるようにすることである。
【課題を解決するための手段】
【０００８】
本発明は、オイル供給系の油圧を変更可能な油圧可変手段と、ピストンに向かってオイルを噴射するピストンジェットノズルに対して、オイルを供給または遮断するように切り換えられる切換バルブと、オイルパンに貯留されているオイルの油面高さを計測可能なオイルレベルセンサと、を備えるエンジンに適用され、前記オイル供給系に設けた油圧センサによる油圧の検出値に応じて、前記油圧可変手段により油圧をフィードバック制御するようにした油圧制御装置を対象とする。
【０００９】
そして、前記切換バルブを供給または遮断のいずれかの状態に切り換え制御する切換バルブ制御手段を備えるとともに、前記オイルレベルセンサにより計測される油面高さと、前記切換バルブの状態に応じて設定される基準油面高さとの差に基づいて、前記切換バルブの故障を判定する故障判定手段を備えている。
【００１０】
なお、オイルパンに貯留されているオイルの油面高さは、オイルポンプによるオイルの吐出量（即ちオイルパンからの吸い込み量）によって変化する。よって、切換バルブが供給状態になっていて、ピストンジェットノズルからオイルが噴射されているときには、切換バルブが遮断状態になっているときに比べて油面高さは低くなる。また、一般的にオイルポンプの吐出量はエンジン回転数などに応じて変化し、これに応じて油面高さも変化する。
【００１１】
さらに、可変容量型のオイルポンプであれば、エンジンの負荷に応じてオイルポンプの吐出量が変更されることもあるし、エンジン始動後には油温が低くて、オイルの粘性が高くなっていることがあり、この場合にもオイルポンプの吐出量は変化するので、オイルパン内の油面高さは油温やエンジンの負荷によっても変化する。そこで、前記の基準油面高さは、切換バルブの状態は勿論、エンジンの負荷や回転数、さらには油温に応じて変化するように設定しておくことが好ましい。
【００１２】
前記の構成により、エンジンの運転中に切換バルブ制御手段によって切換バルブが例えば供給状態に制御され、ピストンジェットノズルに対してオイルが供給されているときには、その分、オイルポンプの吐出量が多くなってオイルパン内の油面高さは低くなるはずであり、これに対応するように基準油面高さが設定される。反対に切換バルブが遮断状態に制御されているときには、相対的にオイルポンプの吐出量が少なくなるので、オイルパン内の油面高さは高くなるはずであり、これに対応するように基準油面高さが設定される。そして、この基準油面高と、オイルレベルセンサにより計測される油面高さとの差に基づき、故障判定手段によって切換バルブの故障が判定される。
【００１３】
すなわち、例えば前記故障判定手段は、前記切換バルブ制御手段が切換バルブを供給状態に制御しているときに、前記オイルレベルセンサにより計測される油面高さが基準油面高さよりも高く、かつ両者の差が第１の閾値以上であれば、前記切換バルブの閉故障であると判定する。オイルパンに貯留されているオイルの油面高さが基準油面高さよりも所定以上、高くなっているということは、切換バルブが供給状態に制御されているにもかかわらず、ピストンジェットノズルに対してオイルが供給されていないということであり、このことから、切換バルブが遮断状態になったままの閉故障であると判定することができる。なお、前記油面高さの第１の閾値は、そのような切換バルブの閉故障による油面高さの変化を、通常の油面高さのばらつきと区別して判定できるように予め実験などによって設定すればよい。
【００１４】
好ましくは前記故障判定手段は、前記切換バルブ制御手段が切換バルブを遮断状態に制御しているときに、前記オイルレベルセンサにより計測される油面高さが基準油面高さよりも低く、かつ両者の差が第２の閾値以上であれば、前記切換バルブが供給状態になったままの開故障であると判定する。こうすれば、前記切換バルブの閉故障と同様に、その開故障についても判定できる。
【００１５】
また、好ましくは、前記故障判定手段によって切換バルブの閉故障であると判定された場合に、警報を発するとともに、エンジンの出力を制限するフェールセーフ手段を備えることである。こうすれば、ピストンにオイルを噴射して冷却すべき状況にもかかわらず、切換バルブの閉故障によってピストンジェットノズルにオイルが供給されず、ピストンが過熱することを防止できる。
【００１６】
一方、前記故障判定手段によって切換バルブの開故障であると判定された場合は、前記フェールセーフ手段によって警報を発する一方、エンジンの出力は制限しないことが好ましい。切換バルブが開故障していて供給状態になったままであると、エンジンの暖機が遅れたり、熱損失が増大して燃費の悪化を招くという不具合はあるものの、ピストンの過熱といった問題は生じないので、エンジンの出力は制限せず、ドライバビリティを確保するものである。
【００１７】
また、前記切換バルブ制御手段は、エンジンの温度状態および運転状態に応じて、前記切換バルブを供給または遮断のいずれかの状態に制御するものとすればよい。こうすれば、エンジンの状態に応じて切換バルブを制御し、ピストンジェットノズルへのオイルの供給、遮断を切り換える通常の制御を行いながら、その切換バルブの故障を判定することができる。
【００１８】
すなわち、仮にピストンへオイルを噴射すべき運転状態で、切換バルブの故障を判定するために強制的に遮断状態にすると、ピストンジェットノズルからのオイルの噴射が行われなくなって、ピストンが過熱するおそれがある。一方、オイルの噴射を停止すべき運転状態では、切換バルブを強制的に供給状態にしても油面が低下し難く、判定を行い難いという実状がある。よって、前記のように通常の切換バルブの制御を行いながら、その故障を判定することが好ましい。
【００１９】
さらに、前記のように基準油面高さは、切換バルブの状態だけでなく、エンジンの負荷や回転数、さらには油温に応じて変化するように設定しておくことが好ましが、それだけではなく、オイルパンに貯留されているオイルの油面の高さは、ユーザがオイルパンに注入しているオイルの量のばらつきによっても変化する。このことから、エンジンの所定の運転状態で基準油面高さを校正する油面高さ校正手段を備えることが好ましい。
【発明の効果】
【００２０】
本発明に係る油圧制御装置によると、エンジンの運転中にオイルパン内の油面高さが基準油面高さから所定以上、大きく乖離していることに基づいて、ピストンジェットノズルへのオイルの供給、遮断を切り換える切換バルブの故障を判定することができる。このように油面の高さに基づいて、油圧のフィードバック制御が行われていても切換バルブの故障を判定できる。
【図面の簡単な説明】
【００２１】
【図１】本発明の実施形態に係るエンジンの油圧制御装置を示す概略構成図であって、オイルポンプの容量が最大の状態を示す。
【図２】ポンプ容量が最小の状態を示す図１相当図である。
【図３】ＯＣＶ電流値とエンジン回転数とポンプ吐出圧との相関の一例を示すグラフ図である。
【図４】エンジンの油圧制御のメインルーチンを示すフローチャートである。
【図５】エンジンの負荷率および回転数に応じて変化する基準油面高さを、ジェット噴射領域およびジェット停止領域でそれぞれ設定した油面高さマップのイメージ図である。
【図６】ＯＳＶの故障診断ルーチンのフローチャートである。
【発明を実施するための形態】
【００２２】
以下、本発明の実施の形態を図面に基づいて説明する。この実施形態では、自動車に搭載されたエンジンのオイルポンプに本発明を適用した場合について説明するが、これに限ることはない。
【００２３】
−オイル供給系の概略構成−
図１には模式的に示すように、エンジン１の下部にはオイルパン１１が配設されていて、図示しないピストンやクランクジャーナル等を潤滑するためのエンジンオイル（以下、単にオイルという）が貯留されている。また、エンジン１には、オイルパン１１からオイルを汲み上げて、前記ピストンやクランクジャーナル等に供給するオイル供給系２が設けられている。すなわち、クランクシャフト１２によって駆動されるオイルポンプ３がストレーナ１３を介してオイルパン１１内のオイルを汲み上げ、図示しないオイルフィルタを通過させてメインギャラリ２０へ送給するようになっている。
【００２４】
このメインギャラリ２０からは、図示はしないが、複数のオイル油路によってエンジン１の動弁系やその可変機構、および、クランクジャーナルやチェーンテンショナなどにオイルが供給される。そうしてエンジン１の各潤滑部に供給されたオイルは、オイル落とし通路を流下して、再びオイルパン１１内に貯留されるようになる。また、本実施の形態では、オイルポンプ３からメインギャラリ２０に至る高圧オイル通路１４から分岐する分岐通路１４ａが設けられ、この分岐通路１４ａによってピストンジェットノズル１５にもオイルが供給される。
【００２５】
ピストンジェットノズル１５は、ピストンに向かって下方からオイルを噴射するものであり、分岐通路１４ａと連通する部分にチェックボール１５ａが配設されている。すなわち、分岐通路１４ａの油圧が所定値未満であれば、スプリング１５ｂの付勢力によってチェックボール１５ａが分岐通路１４ａとの連通部分を閉ざしている。一方、分岐通路１４ａの油圧が所定値以上になれば分岐通路１４ａとの連通部分が開かれて、オイルがピストンジェットノズル１５に流入し、上方のピストンに向かって噴射されるようになる。
【００２６】
また、前記分岐通路１４ａにはオイルスイッチングバルブ（Oil Switching Valve：ＯＳＶ）５が配設されていて、その供給ポート５ａが分岐通路１４ａの上流側に連通し、排出ポート５ｂが分岐通路１４ａの下流側に連通している。このＯＳＶ５は一例として、電磁ソレノイド５１によってスプール５２を動作させる切換バルブであり、供給ポート５ａおよび排出ポート５ｂが連通する供給位置と、供給ポート５ａおよび排出ポート５ｂが遮断される遮断位置と、に切り換えられる。
【００２７】
つまり、ＯＳＶ５は、分岐通路１４ａに配設されて、ピストンジェットノズル１５に対しオイルを供給または遮断するように切り換えられる切換バルブである。このＯＳＶ５を供給位置に切り換えて、分岐通路１４ａによりオイルをピストンジェットノズル１５に供給すれば、前記のようにピストンに向かってオイルを噴射させることができる。一方、ＯＳＶ５を遮断位置に切り換えれば、ピストンジェットノズル１５からピストンに向かってのオイルの噴射を停止させることができる。
【００２８】
−オイルポンプ−
図１の他、図２にも示すように、オイルポンプ３は内接ギヤポンプであって、そのハウジング３０には外歯車のドライブロータ３１と、これに噛み合って回転される内歯車のドリブンロータ３２とが収容されている。ドリブンロータ３２の外周は調整リング３３によって保持されており、後述するように、この調整リング３３の動作によってドライブロータ３１およびドリブンロータ３２が変位されると、ポンプ容量が変更されるようになっている。
【００２９】
前記ドライブロータ３１はクランクシャフトの端部に取り付けられており、このドライブロータ３１の中心に対してドリブンロータ３２の中心は所定量、偏心している。そして、その偏心している側（図１の右上側）においてドライブロータ３１の外歯３１ａとドリブンロータ３２の内歯３２ａとが噛み合わされていて、これら２つのロータ３１，３２の間の三日月状の空間に、円周方向に並んで複数の作動室Ｒが形成されている。
【００３０】
これらの作動室Ｒは、２つのロータ３１，３２の回転に連れて円周方向に移動しながら、その容積が徐々に増大または減少するようになっており、容積が徐々に増大してゆく範囲（図２の右側に示す吸入範囲）において、ハウジング３０に形成された吸入ポート３０ａからオイルを吸入する一方、容積が徐々に減少してゆく範囲（図１の左側に示す吐出範囲）において、ハウジング３０に形成された吐出ポート３０ｂへオイルを加圧しながら送り出す。
【００３１】
前記吸入ポート３０ａは、吸入パイプを介してストレーナ１３に接続されており、一方、吐出ポート３０ｂは、吐出油路を介して高圧オイル通路１４に接続されている。そして、クランクシャフト１２の回転によりドライブロータ３１およびドリブンロータ３２が互いに噛み合いながら回転すると、前記のように吸入範囲を移動する作動室Ｒにはストレーナ１３および吸入ポート３０ａを介してオイルが吸い込まれ、吐出範囲を移動する作動室Ｒからは吐出ポート３０ｂを介して高圧オイル通路１４にオイルが吐出される。
【００３２】
−容量可変機構−
また、オイルポンプ３には、前記のようにしてクランクシャフトの１回転毎に吐出されるオイルの量、即ちポンプ容量を変更可能な容量可変機構が備わっている。この容量可変機構は、ハウジング３０内に形成した制御空間ＴＣの油圧によって、調整リング３３を回動（変位）させ、ドライブロータ３１およびドリブンロータ３２の吸入ポート３０ａおよび吐出ポート３０ｂに対する相対的な位置を変化させるものである。
【００３３】
すなわち、調整リング３３には、ドリブンロータ３２を保持するリング状の本体部から外方に向かって延びるアーム部３３ａが形成され、このアーム部３３ａに作用するコイルバネ３４の押圧力によって、図２の時計回りに回動するように付勢されている。なお、調整リング３３の回動する方向は、長穴３３ｂ，３３ｃに挿入されたガイドピン３５，３６によって規制されている。
【００３４】
一方、前記のアーム部３３ａには、ハウジング３０内に形成された制御空間ＴＣの油圧が作用しており、この油圧（以下、制御油圧という）によって調整リング３３には、図２の反時計回りに回動させるような押圧力が作用する。制御油圧の大きさは、制御空間ＴＣに臨んで開口する油路４０（以下、制御油路４０という）を介して、オイルコントロールバルブ（Oil Control Valve：ＯＣＶ）４によって制御される。
【００３５】
一例としてＯＣＶ４は、リニアソレノイド４１によってスプール４２を動作させる電磁比例弁であり、その供給ポート４ａには、高圧オイル通路１４から分岐する分岐油路１４ｂによってオイルが供給される。ＯＣＶ４は、そうして供給ポート４ａに供給されるオイルを制御ポート４ｂから制御油路４０へ送り出す状態（図２に示す）と、反対に制御油路４０からのオイルを制御ポート４ｂに受け入れて、ドレンポート４ｃから排出する状態（図１に示す）とに切り換えられる。
【００３６】
前記のＯＣＶ４によって制御油圧を調圧し、制御空間ＴＣの油圧を増大または減少させて、アーム部３３ａに作用する押圧力を調整することで、この押圧力とコイルバネ３４の押圧力とがバランスするようにアーム部３３ａの位置が決まるようになる。これにより、図１に示す最大ポンプ容量の状態と図２に示す最小ポンプ容量の状態との間で、調整リング３３の位置を変化させることができる。
【００３７】
−ＥＣＵ−
前記のような容量可変機構の動作によるポンプ容量の調整は、エンジン制御用のＥＣＵ１００によって行われる。本実施形態のＥＣＵ１００は、ＣＰＵ（Central Processing Unit）、ＲＯＭ（Read Only Memory）、ＲＡＭ（Random Access Memory）およびバックアップＲＡＭなどを備えた公知のものである。図１、２に模式的に示すようにＥＣＵ１００には、エンジン１のクランク角センサ１０１、エアフローセンサ１０２、水温センサ１０３、油温センサ１０４、油圧センサ１０５等の各種センサが接続されている。
【００３８】
また、本実施の形態においてＥＣＵ１００には、オイルパン１１に貯留されているオイルの油面高さを計測するオイルレベルセンサ１０６も接続されている。このオイルレベルセンサ１０６は、油面の高さの変化に応じて連続的に変化する信号を出力する。さらに、ＥＣＵ１００には、エンジン１の吸気通路に配設された電動のスロットルバルブ１６と、自動車の車室に配設されたＭＩＬランプ（Malfunction Indicator Lamp）１７なども接続されている。
【００３９】
ＥＣＵ１００は、前記各種センサ１０１〜１０６から入力する信号などに基づいて、エンジン１の運転に関わる種々の制御プログラムを実行するとともに、前記した容量可変機構を動作させてオイルポンプ３の容量を変更し、オイル供給系２の油圧を制御する。すなわち、基本的にはエンジン１の負荷率やエンジン回転数に応じてＯＣＶ４への指令値を変更し、負荷率が高いときにはポンプ容量を増大させる一方、負荷率が低いときには減少させる。オイルポンプ３の回転数はエンジン回転数と同じなので、エンジン回転数が高くなれば、自ずとオイルの吐出量は増大する。
【００４０】
一例として図３には、ＥＣＵ１００からＯＣＶ４への指令値（ＯＣＶ電流値）と、エンジン回転数と、オイルポンプ３の吐出圧との相互の関係を示す。この図から、ＯＣＶ電流値の制御によってポンプ容量を変更すれば、ポンプ吐出圧を調整できることが分かる。すなわち、エンジン回転数が或る程度以上、高ければ、その変化によらずポンプ吐出圧を維持することができ、オイル供給系２のメインギャラリ２０の油圧を好適に制御することができる。
【００４１】
そこで、ＥＣＵ１００は、例えばエンジン１の負荷率および回転数に応じて目標油圧を決定し、負荷率や回転数が低いときには油圧を低下させることにより、オイルポンプ３の駆動によるエンジン１の動力損失（ポンプ駆動損失）を低減するようにしている。具体的に油圧の基本制御としては、油圧センサ１０５からの信号をフィードバックし、検出油圧（油圧センサ１０５による油圧の検出値）の目標油圧からの偏差に応じてポンプ容量を変更することによって、メインギャラリ２０の油圧を目標油圧に収束させる。
【００４２】
また、ＥＣＵ１００は、エンジン１の温度や運転状態などに応じてＯＳＶ５を供給または遮断のいずれかの状態に切り換える。例えば、冷間始動後等にＯＳＶ５を遮断位置に切り換えて、オイルの流通を遮断することにより、ピストンジェットノズル１５からのオイルの噴射を停止させる。これにより、エンジン１の暖機を促進することができる。一方、暖機完了後には、詳しくは後述する所定の運転領域（図５を参照）でＯＳＶ５を供給位置に切り換えて、ピストンジェットノズル１５からピストンに向かってオイルを噴射させる。これにより、ピストンを効果的に冷却することができる。
【００４３】
−油圧制御の基本的な処理−
以下に、まず、本実施形態のエンジン１の油圧制御に係る基本的な処理について図４を参照して具体的に説明する。これは、前記したようにポンプ容量を調整して、オイル供給系２の油圧を制御する処理の基本的な流れ（油圧制御のメインルーチン）を示し、このルーチンは、エンジン１の運転中にＥＣＵ１００において所定のタイミングで繰り返し実行される。このルーチンは、エンジン１の運転状態に応じて油圧を制御する基本制御に相当する。
【００４４】
図４のフローのスタート後のステップＳＴ１０１では、エンジン１の運転状態を表す各種情報を取得する。例えば、クランク角センサ１０１からの信号によってエンジン回転数を算出し、エアフローセンサ１０２からの信号によって吸気量を算出し、これらエンジン回転数および吸気量（アクセル操作量でもよい）から、エンジン１の負荷率を算出する。また、水温センサ１０３、油温センサ１０４および油圧センサ１０５からの信号によってエンジン１の水温、油温および油圧を検出する。
【００４５】
続いてステップＳＴ１０２では、主に負荷率やエンジン回転数などに基づいて、即ち、エンジン１の運転状態に基づいて、図示しない公知のマップを参照してメインギャラリ２０の油圧の目標値（目標油圧）を算出する。ステップＳＴ１０３では、油圧センサ１０５による検出油圧が前記の目標油圧になるように、フィードバック制御演算を行う。すなわち、検出油圧と目標油圧との偏差を算出し、この偏差に応じてＰＩＤ則などにより、検出油圧が目標油圧に収束するようなポンプ容量の目標値を算出する。
【００４６】
ステップＳＴ１０４では、前記ポンプ容量の目標値に基づいて、オイルポンプ３の制御空間ＴＣに供給する制御油圧を算出し、この制御油圧をＯＣＶ４が出力するように、そのスプール４２を動作させるための指令信号、即ちＯＣＶ電流値を算出する。この指令信号がＥＣＵ１００からＯＣＶ４へ出力されることによって、オイルポンプ３の容量が好適に制御され、メインギャラリ２０の油圧は徐々に目標油圧に収束するようになる。
【００４７】
なお、前記のポンプ容量、制御油圧、ＯＣＶ電流値などのパラメータの対応関係は、予め実験・シミュレーションなどによって適合されてマップとしてＥＣＵ１００のＲＯＭに記憶されており、前記のステップＳＴ１０４では、そのようなマップを参照して、目標とするポンプ容量を実現するためのＯＣＶ電流値を算出する。また、マップの代わりにパラメータの対応関係を計算式として設定することもできる。
【００４８】
−ＯＳＶの制御および故障診断−
前記したようにＥＣＵ１００は、暖機完了後のエンジン１の運転状態に応じてＯＳＶ５を供給または遮断のいずれかの位置に切り換えて、ピストンジェットノズル１５からオイルを噴射させたり、停止させたりする。具体的には、一例として図５の油面高さマップにハッチングを入れて示すように、中負荷ないし高負荷で且つ中回転ないし高回転の運転領域（以下、ジェット噴射領域という）において、ＯＳＶ５を供給位置に切り換えて、ピストンジェットノズル１５からオイルを噴射させる。これによりピストンを効率良く冷却できる。
【００４９】
一方、暖機後であっても軽負荷ないし低回転のジェット停止領域（前記ジェット噴射領域以外の運転領域）では、ＯＳＶ５を遮断位置に切り換えて、ピストンジェットノズル１５からのオイルの噴射を停止させる。すなわち、熱負荷の低い運転状態でピストンをオイルで冷却する必要がないときには、オイル供給系２におけるオイルの流量を減らして、オイルポンプ３の駆動負荷を低減することができる。このようにＯＳＶ５を供給、遮断に切り換えて制御することによって、ＥＣＵ１００が切換バルブ制御手段を構成している。
【００５０】
ところで、例えばＯＳＶ５の電磁ソレノイド５１が故障したり、異物が噛み込んでスプール５２の動作不良が起きたりすると、ＯＳＶ５が遮断位置に切り換えられたまま（閉故障）になってしまうことがある。この場合、前記のジェット噴射領域においてもピストンジェットノズル１５からオイルが噴射されなくなり、ピストンが過熱するおそれがある。反対に、ＯＳＶ５が供給位置に切り換えられたまま（開故障）になると、冷間始動後であってもピストンにオイルが噴射されてしまい、暖機を促進できなくなる。
【００５１】
このようなＯＳＶ５の故障について、所定の状態でＯＳＶ５を供給または遮断のいずれかに切り換えて、これによる検出油圧の変化からＯＳＶ５が故障しているか否か判定することも考えられる。しかしながら、本実施の形態では、前記のように可変容量型のオイルポンプ３を用いて油圧をフィードバック制御しているので、検出油圧は、ＯＳＶ５の動作に伴い一時的に変化しても、直ちに元に戻ってしまう。よって、この検出油圧の変化に基づいてＯＳＶ５の故障を判定することは困難である。
【００５２】
そこで、本実施の形態では以下に説明するように、オイルパン１１に貯留されているオイルの油面高さに着目し、エンジン１の運転中にオイルパン１１内の油面高さが基準油面高さから所定以上、大きく乖離していることに基づいて、ＯＳＶ５の故障を判定するようにしている。すなわち、オイルパン１１内の油面高さは、オイルポンプ３によるオイルの吐出量（即ちオイルパン１１からの吸い込み量）によって変化するので、エンジン１の運転中には停止中に比べて油面が低くなり、エンジン回転数の上昇に連れてさらに低くなってゆく。
【００５３】
また、本実施の形態では上述したようにポンプ容量の制御を行っているので、エンジン１の負荷率が高いほど、オイルポンプ３の吐出量が多くなり、これに応じて油面は低くなる。このような油面高さの変化を考慮して、図５に一例を示すように、暖機完了後のエンジン１の負荷率やエンジン回転数に応じて変化する正常な油面の高さを、予め実験・シミュレーションによって調べて、基準油面高さのマップとして設定しておく。このマップにおいて基準油面高さは、エンジン回転数が高いほど低くなるとともに、負荷率が高いほど低くなっている。
【００５４】
また、基準油面高さは、ジェット噴射領域およびジェット停止領域でそれぞれ異なっている。図５においてハッチングを入れて示すジェット噴射領域では、ＯＳＶ５が供給位置とされ、ピストンジェットノズル１５からオイルが噴射されるので、その分、オイルポンプ３の吐出量が多くなり、仮想線で示すようにジェット停止領域の特性をそのまま延長した場合に比べて、基準油面高さは低くなる。反対にジェット停止領域においてはＯＳＶ５が遮断位置になって、オイルポンプ３の吐出量が少なくなることから、仮想線で示すようにジェット噴射領域の特性をそのまま延長した場合に比べて、基準油面高さは高くなる。
【００５５】
そして、本実施の形態では、図５のような油面高さマップに設定されている基準油面高さと比較して、ジェット噴射領域において油面高さが所定以上、基準油面高さよりも高くなっていれば、ＯＳＶ５が遮断位置になったままの閉故障であると判定する。また、ジェット停止領域において油面高さが所定以上、基準油面高さよりも低くなっていれば、ＯＳＶ５が供給位置になったままの開故障であると判定する。
【００５６】
以下、図６のフローチャートを参照して、前記のようなＯＳＶ５の故障診断について具体的に説明する。このフローに示すルーチンは、エンジン１の始動後に所定のタイミングで開始され、まず、スタート後のステップＳＴ２０１では、エンジン１の負荷率、エンジン回転数、油温などのデータを読み込む。なお、負荷率やエンジン回転数は、上述したようにエンジン１の運転制御のためにＥＣＵ１００において演算され、ＲＡＭに記憶されている。
【００５７】
続いてステップＳＴ２０２において、エンジン１が温間アイドル状態か否か判定する。すなわち、油温（エンジン水温でもよい）が所定温度以上であり、エンジン１の負荷率が所定以下であって且つエンジン回転数が所定のアイドル回転数の範囲内にあれば、温間アイドル状態と肯定判定する（ＹＥＳ）。一方、いずれか１つでも条件が満たされていなければ、否定判定（ＮＯ）して、ステップＳＴ２０１に戻る。つまり、温間アイドル状態になるまでは待機する。
【００５８】
そして、温間アイドルであると肯定判定（ＹＥＳ）すれば、オイルパン１１内の油面の高さが安定するので、ステップＳＴ２０３に進んで油面高さの初期値を学習する（初期油面学習）。すなわち、前記図５の油面高さマップから現在のエンジン１の運転状態に対応する基準油面高さ（図５には符号ＯＬ０として示す）を読み込んで、オイルレベルセンサ１０６によって計測される油面高さとの差分を、学習値として記憶する。
【００５９】
こうして記憶した学習値は、自動車のユーザなどによってオイルパン１１に注入されているオイルの量のばらつきを考慮して、図５の油面高さマップに設定されている基準油面高さを校正するためのものである。注入されているオイルが少なければ、その分、オイルパン１１内の油面は低くなるので、油面高さマップに設定されている基準油面高さから、前記学習値を減算すればよい。反対にオイルが多ければ、その分、油面は高くなるので、前記学習値を基準油面高さに加算すればよい。
【００６０】
初期油面学習を行った後のステップＳＴ２０４では、現在の運転状態に対応する基準油面高さを前記図５の油面高さマップから読み込み、前記のように学習値によって校正して基準油面高さを算出する。このときにはエンジン１の運転状態はアイドルとは限らないが、図５の油面高さマップには、エンジン１の負荷率およびエンジン回転数に応じて基準油面高さが設定されているので、現在のエンジン１の運転状態における基準油面高さを算出することができる。
【００６１】
続いてステップＳＴ２０５では、オイルレベルセンサ１０６からの信号によって、オイルパン１１内の実際の油面高さを計測し、続くＳＴ２０６において、その計測した油面高さが前記基準油面高さ（ステップＳＴ２０４で算出した値）よりも第１の閾値以上、高いか否か判定する。この第１の閾値は、ＯＳＶ５の閉故障による油面高さの変化を、通常の油面高さのばらつきと区別して判定できるように、予め実験などによって設定したものである。
【００６２】
そして、計測した油面高さが、基準油面高さに前記第１の閾値を加算したものよりも低ければ、前記ステップＳＴ２０６において否定判定（ＮＯ）して、後述のステップＳＴ２１０に進む。一方、計測した油面高さが、基準油面高さに第１の閾値を加えたもの以上であれば、前記ステップＳＴ２０６において肯定判定（ＹＥＳ）してステップＳＴ２０７に進み、今度は、エンジン１の運転状態が、図５を参照して上述したジェット噴射領域にあるか否か判定する。
【００６３】
この判定が否定判定（ＮＯ）であれば、前記ステップＳＴ２０４にリターンする一方、エンジン１がジェット噴射領域にあると肯定判定（ＹＥＳ）すれば、ステップＳＴ２０８に進んでＯＳＶ５の閉故障と判定し、続くステップＳＴ２０９において、スロットルバルブ１６の開度に制限を加えるとともに、ＭＩＬランプ１７を点灯させて、自動車の乗員に警報を発し、その後、制御を終了する（エンド）。
【００６４】
つまり、ジェット噴射領域にあるにもかかわらず、オイルパン１１内の油面高さが基準油面高さよりも所定以上、高くなっていれば、ＯＳＶ５の閉故障であると判定し、警報を発するとともに、エンジンの出力を制限するフェールセーフ処理を行う。これにより、ピストンが過熱することを防止できる。
【００６５】
これに対し、前記のステップＳＴ２０６において油面はあまり高くはなっていない、と否定判定（ＮＯ）して進んだステップＳＴ２１０では、今度は、オイルレベルセンサ１０６によって計測した油面高さが第２の閾値以上、基準油面高さよりも低くいか（即ち、油面高さが基準油面高さよりも低く、かつ両者の差が第２の閾値以上であるか）否か判定する。この第２の閾値も、ＯＳＶ５の開故障による油面高さの変化を、通常の油面高さのばらつきと区別して判定できるように予め実験などによって設定されている。
【００６６】
そして、ＳＴ２１０において油面高さが、基準油面高さから第２の閾値を減算したものよりも高ければ、否定判定（ＮＯ）して前記ステップＳＴ２０４にリターンする。一方、油面高さが、基準油面高さから第２の閾値を減算したもの以下であれば、肯定判定（ＹＥＳ）してステップＳＴ２１１に進む。ここでは、エンジン１の運転状態がジェット停止領域にあるか否か判定し、ジェット停止領域にないと否定判定（ＮＯ）すれば、前記ステップＳＴ２０４にリターンする。
【００６７】
つまり、オイルパン１１内の油面があまり低くなっていないか、或いはかなり低くなっていても、ジェット停止領域でない場合は、ＯＳＶ５の故障とは判定しないで、前記ステップＳＴ２０４〜ＳＴ２０７，ＳＴ２１０，ＳＴ２１１の手順を繰り返し実行する。これは例えば１０秒など、所定の時間間隔で繰り返される。
【００６８】
一方、前記のステップＳＴ２１１においてエンジン１の運転状態がジェット停止領域にあると肯定判定（ＹＥＳ）すれば、ステップＳＴ２１２に進んでＯＳＶ５の開故障と判定し、続くステップＳＴ２１３においてＭＩＬランプ１７を点灯させて、制御を終了する（エンド）。つまり、ジェット停止領域であるにもかかわらず、オイルパン１１内の油面高さが基準油面高さよりも所定以上、低くなっていれば、ＯＳＶ５の開故障であると判定して、フェールセーフ処理を行う。
【００６９】
この場合は、ＯＳＶ５を遮断位置に切り換えることができず、ピストンジェットノズル１５からオイルが噴射されたままになるので、冷間始動後のエンジン１の暖機が遅れたり、熱損失の増大によって燃費の悪化を招くという不具合はあるものの、ピストンの過熱といった問題は生じない。そこで、フェールセーフ処理としては警報を発するに留め、エンジン１の出力制限は行わないことで、ドライバビリティを確保するようにしている。
【００７０】
前記図６のフローのステップＳＴ２０６〜ＳＴ２０８を実行することによってＥＣＵ１００は、エンジン１の運転状態に応じてＯＳＶ５が供給位置に制御されているときに、オイルレベルセンサ１０６により計測される油面高さが基準油面高さよりも第１の閾値以上、高ければ、閉故障であると判定する故障判定手段を構成する。また、ステップＳＴ２０９を実行することによってＥＣＵ１００は、ＯＳＶ５の閉故障であると判定された場合に、警報を発するとともに、エンジン１の出力を制限するフェールセーフ手段を構成する。
【００７１】
本実施の形態において前記故障判定手段は、前記フローのステップＳＴ２１０〜ＳＴ２１２を実行することにより、ＯＳＶ５が遮断位置に制御されているときに、オイルレベルセンサ１０６により計測される油面高さが基準油面高さよりも低く、かつ両者の差が第２の閾値以上であれば、開故障であると判定するものとなっている。
【００７２】
また、前記フェールセーフ手段は、前記フローのステップＳＴ２１３を実行することによって、ＯＳＶ５の開故障であると判定された場合には警報を発する一方、エンジン１の出力は制限しないものとなっている。さらに、図６のフローのステップＳＴ２０２，ＳＴ２０３を実行することによってＥＣＵ１００は、エンジン１の温間アイドル状態で基準油面高さを校正する油面高さ校正手段を構成する。
【００７３】
以上、説明したように本実施の形態によると、エンジン１の運転中に、その運転状態に応じてＯＳＶ５の制御が行われ、ジェット噴射領域であればピストンジェットノズル１５から噴射されるオイルによって、効率良くピストンが冷却される。一方、例えばエンジン１の冷間始動後および暖機後のジェット停止領域では、ピストンジェットノズル１５からオイルは噴射されず、冷間始動後であれば暖機の促進が図られるとともに、暖機後であれば熱損失の低減やオイルポンプ３の駆動損失の低減などによる燃費の改善が図られる。
【００７４】
そして、前記ジェット噴射領域においてオイルレベルセンサ１０６によって計測されるオイルパン１１内の油面高さが基準油面高さよりも所定以上、高ければ、ＯＳＶ５が遮断位置になったままの閉故障であると判定できる。これに応じて自動車の乗員に警報を発するとともに、エンジン１の出力を制限するフェールセーフ処理を行うことで、ピストンジェットノズル１５からのオイルの噴射が行われなくなっていても、ピストンの過熱を防止できる。
【００７５】
一方、前記ジェット停止領域においてオイルレベルセンサ１０６により計測される油面高さが第２の閾値以上、基準油面高さよりも低ければ、ＯＳＶ５が供給位置になったままの開故障であると判定できる。この場合は、ピストンの過熱といった問題は生じないので、自動車の乗員に警報を発するフェールセーフ処理を行う一方、エンジン１の出力制限は行わずにドライバビリティを確保する。
【００７６】
また、本実施の形態では、前記のようにエンジン１の運転状態に応じてＯＳＶ５の切り換え制御を行いながら、その故障を判定するようにしているので、故障を判定する機会が十分に多くなって、その実効が担保される。すなわち、例えば、ジェット噴射領域においてＯＳＶ５を強制的に遮断位置にして、そのときに生じる油面高さの変化からＯＳＶ５の開故障を判定することも考えられるが、こうすると、オイルが噴射されなくなることによって、ピストンが過熱するおそれがあり、好ましくない。
【００７７】
一方、ジェット停止領域においてＯＳＶ５を強制的に供給位置にした場合は、ピストンの過熱のような不具合は発生しないものの、この場合は油面の高さが変化し難いことから、判定を行い難いという実状がある。詳しくはジェット停止領域である低回転領域では、低油圧に制御されているため、ＯＳＶ５を供給位置にしてもオイルポンプ３の吐出量はあまり多くはならず、油面高さの変化が大きくならない。
【００７８】
また、同じくジェット停止領域である中回転ないし高回転の軽負荷領域については、自動車の運転中にエンジン１がこの運転領域で運転される頻度が非常に少なく、油面の高さが変化するのに十分な時間（例えば１０秒くらい）、連続してエンジン１が中回転ないし高回転の軽負荷状態になることは希である。よって、この運転状態においてＯＳＶ５を強制的に供給位置にして、油面高さの判定を行うことも困難であり、本実施の形態のように通常のＯＳＶ５の切り換え制御を行いながら、その故障を判定することが好ましいのである。
【００７９】
−他の実施形態−
上述した実施形態の記載はあくまで例示に過ぎず、本発明の構成や用途などについても限定することを意図しない。例えば前記実施の形態においては、図６のフローのステップＳＴ２０２，ＳＴ２０３に表れているように、エンジン１の温間アイドル状態において初期油面学習を行うようにしているが、これに限らず、アイドル以外であっても定常運転状態であれば油面高さの学習は可能である。また、初期油面学習を行わないことも可能である。
【００８０】
また、前記実施の形態では、図６のフローのステップＳＴ２１０〜ＳＴ２１３において、ＯＳＶ５の開故障について判定しているが、この判定はせず、ステップＳＴ２０６〜ＳＴ２０９における閉故障についての判定だけをするようにしてもよい。閉故障の場合は、ピストンの過熱を招くおそれがあり、エンジン１の運転中に判定を行うことの重要性が高いからである。
【００８１】
さらに、前記実施の形態におけるエンジン１のオイル供給系２は、オイルポンプ３からメインギャラリ２０に至る高圧オイル通路１４から分岐する分岐通路１４ａによって、ピストンジェットノズル１５にオイルを供給するようにしているが、これにも限定されず、メインギャラリ２０から分岐する通路によって、ピストンジェットノズル１５にオイルを供給するようにしてもよい。
【産業上の利用可能性】
【００８２】
本発明は、エンジンのオイル供給系の油圧をフィードバックしていても、ピストンジェットノズルへのオイルの供給、遮断を切り換える切換バルブ（ＯＳＶなど）の故障を判定できるものであり、自動車用のエンジンに適用して効果が高い。
【符号の説明】
【００８３】
１        エンジン
２        オイル供給系
３        オイルポンプ
３３    調整リング（容量可変機構：油圧可変手段）
３４    コイルバネ（容量可変機構：油圧可変手段）
５        ＯＳＶ（切換バルブ）
１１      オイルパン
１５      ピストンジェットノズル
１００    ＥＣＵ（切換バルブ制御手段、故障判定手段、フェールセーフ手段、油面高さ校正手段）
１０５    油圧センサ
１０６    オイルレベルセンサ
ＴＣ      制御空間（容量可変機構：油圧可変手段）
【図１】
0006495784.tif 000002
【図２】
0006495784.tif 000003
【図３】
0006495784.tif 000004
【図４】
0006495784.tif 000005
【図５】
0006495784.tif 000006
【図６】
0006495784.tif 000007